(57)【要約】【課題】無線通信を行う際に使用する認証情報を容易に引継ぐことが可能な管理サーバ、ゲートウェイ、システム、方法及びプログラムを提供すること。【解決手段】本発明に係る管理サーバ１０は、第１ゲートウェイ２０ａから第２ゲートウェイ２０ｂに交換する旨を示す交換通知を第１ゲートウェイ２０ａと第２ゲートウェイ２０ｂとから受信し、第１ゲートウェイ２０ａが無線通信を行う際に使用する初期設定値Ｓ１と、初期設定値Ｓ１が変更された場合には現在使用されている現在設定値Ｓ２と、を第１ゲートウェイ２０ａから受信するサーバ受信部１１２と、交換通知を第２ゲートウェイ２０ｂから受信した場合、初期設定値Ｓ１と現在設定値Ｓ２とを第２ゲートウェイ２０ｂに送信するサーバ送信部１１１と、を備える。【選択図】図１
2019115020.tif 000002
【特許請求の範囲】
【請求項１】
第１ゲートウェイから第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するサーバ受信部と、
前記交換通知を前記第２ゲートウェイから受信した場合、前記初期設定値と前記現在設定値とを前記第２ゲートウェイに送信するサーバ送信部と、
を備える管理サーバ。
【請求項２】
前記サーバ受信部は、前記第１ゲートウェイを識別するための第１識別情報を受信し、
前記サーバ送信部は、予め保存された複数の識別情報の中に前記第１識別情報と一致するものが有る場合、前記初期設定値と前記現在設定値の送信を要求する交換開始通知を前記第１ゲートウェイに送信する、
請求項１に記載の管理サーバ。
【請求項３】
前記識別情報は、ＭＡＣアドレスを含む、
請求項２に記載の管理サーバ。
【請求項４】
前記第１ゲートウェイの交換状況を保存する装置設定管理部をさらに備え、
前記サーバ送信部は、前記交換状況が前記交換通知を受信した後に交換が終了していない状態を示す未交換の場合、前記交換開始通知を送信する、
請求項２又は３に記載の管理サーバ。
【請求項５】
前記初期設定値と前記現在設定値とのそれぞれは、ＳＳＩＤと暗号化キーとのうち少なくともいずれかを含む、
請求項１乃至４のいずれか１つに記載の管理サーバ。
【請求項６】
第１ゲートウェイから第２ゲートウェイに交換する際に自ゲートウェイが前記第１ゲートウェイである場合、前記交換する旨を示す交換通知と、前記第１ゲートウェイが無線通信を行う際に使用する初期設定値と、前記初期設定値が変更された場合には現在使用されている現在設定値と、を管理サーバに送信し、自ゲートウェイが前記第２ゲートウェイである場合、前記交換する旨を示す交換通知を前記管理サーバに送信するゲートウェイ送信部と、
前記交換する際に自ゲートウェイが前記第２ゲートウェイである場合、前記初期設定値と、前記現在設定値と、を前記管理サーバから受信するゲートウェイ受信部と、
を備えるゲートウェイ。
【請求項７】
ＬＡＮインターフェースを使用して通信を行うＬＡＮインターフェース部をさらに備え、
前記第１ゲートウェイの前記ＬＡＮインターフェース部は、前記交換通知に対する応答通知を所定時間内に前記管理サーバから受信しない場合、前記初期設定値と前記現在設定値とを前記第２ゲートウェイに送信する、
請求項６に記載のゲートウェイ。
【請求項８】
交換元である第１ゲートウェイと交換先である第２ゲートウェイとを有するゲートウェイと、前記第１ゲートウェイと前記第２ゲートウェイとを管理する管理サーバと、を備え、
前記管理サーバは、
前記第１ゲートウェイから前記第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するサーバ受信部と、
前記交換通知を前記第２ゲートウェイから受信した場合、前記初期設定値と前記現在設定値とを前記第２ゲートウェイに送信するサーバ送信部と、を有し、
前記ゲートウェイは、
前記交換する際に自ゲートウェイが前記第１ゲートウェイである場合、前記交換する旨を示す交換通知と、前記第１ゲートウェイが無線通信を行う際に使用する初期設定値と、前記初期設定値が変更された場合には現在使用されている現在設定値と、を前記管理サーバに送信し、前記交換する際に自ゲートウェイが前記第２ゲートウェイである場合、前記交換する旨を示す交換通知を前記管理サーバに送信するゲートウェイ送信部と、
前記交換する際に自ゲートウェイが前記第２ゲートウェイである場合、前記初期設定値と、前記現在設定値と、を前記管理サーバから受信するゲートウェイ受信部と、を有する、
システム。
【請求項９】
第１ゲートウェイから第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するステップと、
前記交換通知を前記第２ゲートウェイから受信した場合、前記初期設定値と前記現在設定値とを前記第２ゲートウェイに送信するステップと、
を備える方法。
【請求項１０】
第１ゲートウェイから第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するステップと、
前記交換通知を前記第２ゲートウェイから受信した場合、前記初期設定値と前記現在設定値とを前記第２ゲートウェイに送信するステップと、
をコンピュータに実行させるプログラム。
【発明の詳細な説明】
【技術分野】
【０００１】
本発明は、管理サーバ、ゲートウェイ、システム、方法及びプログラムに関するものであり、特に、無線通信を行う際に使用する認証情報を容易に引継ぐことが可能な管理サーバ、ゲートウェイ、システム、方法及びプログラムに関する。
【背景技術】
【０００２】
ホームゲートウェイ等の装置が無線通信を行う際に使用するＳＳＩＤ(Service Set Identifier)や暗号化キー等の認証情報は、装置固有の初期設定値として該装置の工場出荷時に設定される。その後、ユーザが必要に応じて初期設定値を変更し、変更された設定値を使用して端末との間で無線通信を行う。変更された現在の設定値を現在設定値と称する。
【０００３】
特許文献１には、モバイルルータがアクセスポイント設定情報（認証情報の現在設定値）をホームゲートウェイへ通知し、ホームゲートウェイが通知されたアクセスポイント設定情報を使用し、アクセスポイントとして動作を開始することが開示されている。また、特許文献１には、アクセスポイントとして動作を開始することを示す動作開始通知をモバイルルータへ通知することが開示されている。また、特許文献１には、モバイルルータがホームゲートウェイから動作開始通知を受けると、アクセスポイントとしての動作を停止し、モバイルルータの電源をスリープ状態にすることが開示されている。しかしながら、特許文献１には、装置固有の認証情報である初期設定値を引継ぐことは開示されていない。このため、装置の交換後に装置を初期化した場合、認証情報を初期設定値に戻す（再設定する）必要があるという問題があった。
【０００４】
特許文献２には、サーバに保存されたホームゲートウェイの設定値データ（認証情報）を、端末を経由して別のホームゲートウェイに引き継ぐことが開示されている。すなわち、設定値データは、サーバにログインしたＰＣ等の端末によって端末内にダウンロードされ保存された後、該端末から別のホームゲートウェイに送信される。しかしながら、端末からサーバにログインして設定値データを取得し、また、取得した設定値データを保存する操作は、煩雑であり手間の掛かる操作である。
【先行技術文献】
【特許文献】
【０００５】
【特許文献１】特開２０１４−９０３０４号公報
【特許文献２】特開２０１４−８６７６３号公報
【発明の概要】
【発明が解決しようとする課題】
【０００６】
上記のように、無線通信を行う際に使用する認証情報を容易に引継ぐことが難しいという問題があった。
【０００７】
本開示は、このような問題を解決するためになされたものであり、無線通信を行う際に使用する認証情報を容易に引継ぐことが可能な管理サーバ、ゲートウェイ、システム、方法及びプログラムを提供することを目的とする。
【課題を解決するための手段】
【０００８】
本開示に係る管理サーバは、
第１ゲートウェイから第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するサーバ受信部と、
前記交換通知を前記第２ゲートウェイから受信した場合、前記初期設定値と前記現在設定値とを前記第２ゲートウェイに送信するサーバ送信部と、
を備える。
【０００９】
本開示に係るゲートウェイは、
第１ゲートウェイから第２ゲートウェイに交換する際に自ゲートウェイが前記第１ゲートウェイである場合、前記交換する旨を示す交換通知と、前記第１ゲートウェイが無線通信を行う際に使用する初期設定値と、前記初期設定値が変更された場合には現在使用されている現在設定値と、を管理サーバに送信し、自ゲートウェイが前記第２ゲートウェイである場合、前記交換する旨を示す交換通知を前記管理サーバに送信するゲートウェイ送信部と、
前記交換する際に自ゲートウェイが前記第２ゲートウェイである場合、前記初期設定値と、前記現在設定値と、を前記管理サーバから受信するゲートウェイ受信部と、
を備える。
【００１０】
本開示に係るシステムは、
交換元である第１ゲートウェイと交換先である第２ゲートウェイとを有するゲートウェイと、前記第１ゲートウェイと前記第２ゲートウェイとを管理する管理サーバと、を備え、
前記管理サーバは、
前記第１ゲートウェイから前記第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するサーバ受信部と、
前記交換通知を前記第２ゲートウェイから受信した場合、前記初期設定値と前記現在設定値とを前記第２ゲートウェイに送信するサーバ送信部と、を有し、
前記ゲートウェイは、
前記交換する際に自ゲートウェイが前記第１ゲートウェイである場合、前記交換する旨を示す交換通知と、前記第１ゲートウェイが無線通信を行う際に使用する初期設定値と、前記初期設定値が変更された場合には現在使用されている現在設定値と、を前記管理サーバに送信し、前記交換する際に自ゲートウェイが前記第２ゲートウェイである場合、前記交換する旨を示す交換通知を前記管理サーバに送信するゲートウェイ送信部と、
前記交換する際に自ゲートウェイが前記第２ゲートウェイである場合、前記初期設定値と、前記現在設定値と、を前記管理サーバから受信するゲートウェイ受信部と、を有する。
【００１１】
本開示に係る方法は、
第１ゲートウェイから第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するステップと、
前記交換通知を前記第２ゲートウェイから受信した場合、前記初期設定値と前記現在設定値とを前記第２ゲートウェイに送信するステップと、
を備える。
【００１２】
本開示に係るプログラムは、
第１ゲートウェイから第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するステップと、
前記交換通知を前記第２ゲートウェイから受信した場合、前記初期設定値と前記現在設定値とを前記第２ゲートウェイに送信するステップと、
をコンピュータに実行させる。
【発明の効果】
【００１３】
本発明によれば、無線通信を行う際に使用する認証情報を容易に引継ぐことが可能な管理サーバ、ゲートウェイ、システム、方法及びプログラムを提供することができる。
【図面の簡単な説明】
【００１４】
【図１】実施の形態１に係るシステムを例示するブロック図である。
【図２】実施の形態１に係る管理サーバを例示するブロック図である。
【図３】実施の形態１に係るゲートウェイを例示するブロック図である。
【図４Ａ】実施の形態１に係る装置設定管理部に保存された内容を例示する設定管理テーブルである。
【図４Ｂ】実施の形態１に係る装置設定管理部に保存された内容を例示する設定管理テーブルである。
【図５】実施の形態１に係る動作を例示するシーケンス図である。
【図６】実施の形態１に係る動作を例示するシーケンス図である。
【図７】実施の形態１に係る装置設定管理部に保存された内容を例示する設定管理テーブルである。
【図８】実施の形態１に係る動作を例示するフローチャートである。
【図９】実施の形態２に係るゲートウェイを例示するブロック図である。
【図１０Ａ】実施の形態２に係る装置設定管理部に保存された内容を例示する設定管理テーブルである。
【図１０Ｂ】実施の形態２に係る装置設定管理部に保存された内容を例示する設定管理テーブルである。
【図１１】実施の形態２に係る動作を例示するシーケンス図である。
【図１２】実施の形態２に係る動作を例示するシーケンス図である。
【発明を実施するための形態】
【００１５】
以下、図面を参照して本発明の実施の形態について説明する。各図面において、同一又は対応する要素には同一の符号が付されており、説明の明確化のため、必要に応じて重複説明を省略する。
【００１６】
［実施の形態１］
実施の形態１に係るシステムの概要を説明する。
図１は、実施の形態１に係るシステムを例示するブロック図である。
【００１７】
図１に示すように、システム１０ｓは、ゲートウェイ２０と、管理サーバ１０と、無線端末４０と、回線事業者網７０と、アクセスサーバ３０と、インターネット８０と、を備える。ゲートウェイ２０は、少なくとも第１ゲートウェイ２０ａと第２ゲートウェイ２０ｂとを有する。管理サーバ１０は、ゲートウェイ２０を管理する。
【００１８】
実施の形態１では、第１ゲートウェイ２０ａの無線通信機能が故障し、第２ゲートウェイ２０ｂに交換をする場合を例に挙げて説明する。第１ゲートウェイ２０ａは、交換元のゲートウェイ２０であり、第２ゲートウェイ２０ｂは、交換先のゲートウェイである。
【００１９】
第１ゲートウェイ２０ａと第２ゲートウェイ２０ｂとは、宅内やオフィス内に設置され、ＷＡＮ(Wide Area Network)を使用して回線事業者網７０とアクセスサーバ３０を介してインターネット８０に接続することができる。また、第１ゲートウェイ２０ａと第２ゲートウェイ２０ｂのそれぞれは、無線アクセスポイントの機能を有し、ＷＬＡＮ(Wireless Local Area Network)を使用して無線端末４０と接続することができる。
【００２０】
管理サーバ１０は、ゲートウェイ２０との間で、ゲートウェイ２０の設定値Ｓに関する情報をやり取りする。設定値Ｓは、ゲートウェイ２０が無線端末４０との間で無線通信を行う際に使用する認証情報（無線設定）である。
【００２１】
アクセスサーバ３０は、ルータ機能を有し、ゲートウェイ２０との間で各種通信プロトコルの終端を行う。この例では、アクセスサーバ３０は、ＬＡＮ(Local Area Network)で接続される構成とする。
【００２２】
無線端末４０は、スマートフォンや携帯ゲーム機等の無線通信機能を備える。無線端末４０は、第１ゲートウェイ２０ａに設定された、例えばＳＳＩＤ(Service Set Identifier)や暗号化キー等の認証情報を使用して第１ゲートウェイ２０ａとの間で認証を行い無線通信を行う。
【００２３】
尚、管理サーバを設定値管理サーバと称することもある。ゲートウェイをホームゲートウェイと称することもある。アクセスサーバをＢＡＳ(Broadband Access Server)と称することもある。認証情報を無線設定と称することもある。
【００２４】
実施の形態１に係る管理サーバの詳細な構成を説明する。
図２は、実施の形態１に係る管理サーバを例示するブロック図である。
【００２５】
図２に示すように、実施の形態１に係る管理サーバ１０は、ＬＡＮインターフェース部１１と、装置交換制御部１２と、装置設定管理部１３と、を備える。ＬＡＮインターフェース部１１は、サーバ送信部１１１とサーバ受信部１１２とを有する。
【００２６】
ＬＡＮインターフェース部１１は、回線事業者網７０を介してネットワーク通信機器であるアクセスサーバ３０に接続する。
【００２７】
ＬＡＮインターフェース部１１のサーバ受信部１１２は、第１ゲートウェイ２０ａから第２ゲートウェイ２０ｂにゲートウェイを交換する旨を示す交換通知Ｎ１を第１ゲートウェイ２０ａから受信する。また、サーバ受信部１１２は、ゲートウェイを交換する旨を示す交換通知Ｎ２を第２ゲートウェイ２０ｂからも受信する。また、サーバ受信部１１２は、第１ゲートウェイ２０ａが無線通信を行う際に使用する初期設定値Ｓ１と、初期設定値Ｓ１が変更された場合には現在使用されている現在設定値Ｓ２と、を第１ゲートウェイ２０ａから受信する。初期設定値Ｓ１と現在設定値Ｓ２とを総称して設定値Ｓと称する。
【００２８】
装置交換制御部１２は、ＬＡＮインターフェース部１１とアクセスサーバ３０とを介して、交換元である第１ゲートウェイ２０ａ又は交換先である第２ゲートウェイ２０ｂとの間で第１ゲートウェイ２０ａの設定値Ｓのやり取りを行う。
【００２９】
具体的には、サーバ送信部１１１は、交換する旨を示す交換通知Ｎ２を第２ゲートウェイ２０ｂからサーバ受信部１１２が受信した場合、初期設定値Ｓ１と、現在設定値Ｓ２と、を第２ゲートウェイ２０ｂに送信する。また、装置交換制御部１２が、交換する旨を示す交換通知Ｎ２を第２ゲートウェイ２０ｂからサーバ受信部１１２が受信した場合、初期設定値Ｓ１と、現在設定値Ｓ２と、を第２ゲートウェイ２０ｂに送信するように、サーバ送信部１１１に指示してもよい。
【００３０】
また、装置交換制御部１２は、装置設定管理部１３にゲートウェイ２０の設定値Ｓを保存し又は設定値Ｓを読み出す。
【００３１】
ＬＡＮインターフェース部１１のサーバ送信部１１１は、装置交換制御部１２からの指示に応じて初期設定値Ｓ１と現在設定値Ｓ２とを第２ゲートウェイ２０ｂに送信する。
【００３２】
装置設定管理部１３は、ゲートウェイ２０の装置番号と、ＭＡＣ(Media Access Control)アドレスと、工場出荷時の初期設定値Ｓ１と、現在設定値Ｓ２と、交換状況と、交換対象装置番号と、を保存する。
【００３３】
装置設定管理部１３は、装置交換制御部１２からの要求に応じて、保存内容を参照し、保存内容を更新する。また、装置設定管理部１３に保存された保存内容は、ＷｅｂＧＵＩ(Web Graphical User Interface)等を通して、管理者や開発担当者により参照され、更新される。
【００３４】
実施の形態１に係るゲートウェイの詳細な構成を説明する。
図３は、実施の形態１に係るゲートウェイを例示するブロック図である。
【００３５】
図３に示すように、ゲートウェイ２０は、アンテナ２６とＷＬＡＮインターフェース部２１とルーティング制御部２３とＷＡＮインターフェース部２４と装置交換制御部２２とを備える。また、ゲートウェイ２０は、設定値保存部２５とＬＥＤ２７と装置交換ボタン２８と設定初期化ボタン２９とを備える。
【００３６】
アンテナ２６は、ＷＬＡＮの無線通信を行うためのアンテナである。
【００３７】
ＷＬＡＮインターフェース部２１は、ルーティング制御部２３から取得したパケットをインフラストラクチャモードで外部に送信する。また、ＷＬＡＮインターフェース部２１は、インフラストラクチャモードで受信したパケットをルーティング制御部２３に送る。
【００３８】
ＷＡＮインターフェース部２４は、ゲートウェイ送信部２４１とゲートウェイ受信部２４２とを有する。ゲートウェイ送信部２４１は、第１ゲートウェイ２０ａから第２ゲートウェイ２０ｂに交換する際に、自身（ゲートウェイ送信部２４１）が含まれるゲートウェイが交換元のゲートウェイである場合、交換する旨を示す交換通知Ｎ１を管理サーバ１０に送信する。
【００３９】
ゲートウェイ送信部２４１は、交換する際に、第１ゲートウェイ２０ａが無線通信を行う際に使用する初期設定値Ｓ１と、初期設定値Ｓ１が変更された場合には現在使用されている現在設定値Ｓ２と、を管理サーバ１０に送信する。
【００４０】
ゲートウェイ送信部２４１は、交換する際に、自身（ゲートウェイ送信部２４１）が含まれるゲートウェイが交換先のゲートウェイ（第２ゲートウェイ２０ｂ）である場合、交換する旨を示す交換通知Ｎ２を管理サーバ１０に送信する。
【００４１】
ゲートウェイ受信部２４２は、交換する際に、自身（ゲートウェイ送信部２４１）が含まれるゲートウェイが交換先のゲートウェイ（第２ゲートウェイ２０ｂ）である場合、初期設定値Ｓ１と、現在設定値Ｓ２と、を管理サーバ１０から受信する。ゲートウェイ受信部２４２は、交換通知Ｎ２に対応した初期設定値Ｓ１と現在設定値Ｓ２とを受信する。
【００４２】
ルーティング制御部２３は、ＩＰ(Internet Protocol)ルーティング処理と各種プロトコルの終端を行うためのプロトコルスタックとを有する。ルーティング制御部２３は、このプロトコルスタックを使用してＷＡＮインターフェース部２４又はＷＬＡＮインターフェース部２１から受信したＩＰパケットの宛先ＩＰアドレスに基づいてルーティング処理を行う。
【００４３】
また、ルーティング制御部２３は、ルーティング処理を行うと共に、そのＩＰパケットの宛先が自ゲートウェイ宛の場合、プロトコルスタックにおいてそのＩＰパケットが使用するプロトコルの終端処理を行う。ＩＰパケットの宛先が自ゲートウェイ宛であり、そのＩＰパケットが、事前に取り決められた内容のＩＰパケットであると判断された場合、その内容に応じて各部に送る。
【００４４】
ＷＡＮインターフェース部２４は、ＡＤＳＬ、光ファイバー、又はＣＡＴＶ等を使用してネットワーク通信機器に接続する。
【００４５】
装置交換制御部２２は、ルーティング制御部２３、ＷＡＮインターフェース部２４、及びアクセスサーバ３０を介して管理サーバ１０との間でゲートウェイ２０の設定値Ｓのやり取りを行う。
【００４６】
また、装置交換制御部２２は、装置交換ボタン２８が押下されたことを検出した場合、ゲートウェイ２０を交換する旨を示す交換通知を管理サーバ１０に通知する。すなわち、装置交換ボタン２８が操作された押下された場合、交換通知Ｎが前記管理サーバに通知される。交換通知Ｎ１と交換通知Ｎ２とを総称して交換通知Ｎと称する。装置交換制御部２２は、ゲートウェイ２０の設定値Ｓの引継ぎ状況に応じて、ＬＥＤ２７を点灯、点滅、又は消灯するようにＬＥＤ２７を制御する。ＬＥＤ２７は、緑色、橙色等に点灯することが可能なＬＥＤ(Light Emitting Diode)である。
【００４７】
設定値保存部２５は、初期設定値保存部２５１と現在設定値保存部２５２とを有する。ゲートウェイ２０の工場出荷時に設定され、ゲートウェイ２０が無線通信を行う際に使用する初期設定値Ｓ１は、初期設定値保存部２５１に保存される。初期設定値Ｓ１が変更された場合には現在使用されている現在設定値Ｓ２は、現在設定値保存部２５２に保存される。
【００４８】
装置交換ボタン２８は、ユーザがゲートウェイ２０の交換を行う際に押下するボタンであり、装置交換制御部２２と接続する。
【００４９】
設定初期化ボタン２９は、ユーザがゲートウェイ２０の設定値Ｓを初期化して初期設定値Ｓ１にする際に押下するボタンであり、装置交換制御部２２と接続する。
【００５０】
実施の形態１の動作を説明する。
管理サーバ１０が交換元の第１ゲートウェイ２０ａから設定値Ｓを取得し保存するまでの動作を説明する。
【００５１】
図４Ａは、実施の形態１に係る装置設定管理部に保存された内容を例示する設定管理テーブルである。
図４Ａは、装置交換前であって後述するステップＳ１０９よりも前の設定管理テーブルを示す。
【００５２】
図４Ｂは、実施の形態１に係る装置設定管理部に保存された内容を例示する設定管理テーブルである。
図４Ｂは、装置交換前であって後述するステップＳ１０９後の設定管理テーブルを示す。
【００５３】
図５は、実施の形態１に係る動作を例示するシーケンス図である。
【００５４】
管理サーバ１０の管理者は、図４Ａに示すように、管理対象のゲートウェイ２０の装置番号と、ＭＡＣアドレスと、初期設定値Ｓ１と、現在設定値Ｓ２と、交換状況と、交換対象装置番号と、を管理サーバ１０の装置設定管理部１３に保存する。初期設定値Ｓ１と現在設定値Ｓ２とを設定値Ｓと称する。設定値Ｓは、例えば、ＳＳＩＤと暗号化キーとのうち少なくともいずれかを含むものである。
【００５５】
実施の形態１では、装置番号が０００１のゲートウェイの無線通信機能が故障し、装置番号が２００２のゲートウェイに交換をする場合を例に挙げて説明する。よって、管理者は、装置番号が０００１の交換状況に「交換元（未交換）」を保存し、交換対象装置番号に「２００２」を保存する。また、この例では、ゲートウェイ２０とアクセスサーバ３０との間でＰＰＰ(Point-to-Point Protocol)セッションが生成され、通信が可能な状態になっているものとする。ここで、未交換とは、交換通知Ｎを受信した後に交換が終了していない状態を示す。
【００５６】
図５に示すように、交換元の第１ゲートウェイ２０ａの装置交換ボタン２８ａが押下される（ステップＳ１０１）。
【００５７】
第１ゲートウェイ２０ａの装置交換制御部２２ａは、装置交換ボタン２８ａが押下されたことを検出し、装置交換する旨を示す交換通知Ｎ１をアクセスサーバ３０を介して管理サーバ１０に送信する（ステップＳ１０２）。具体的には、装置交換制御部２２ａは、交換通知Ｎ１を含むパケットを、ルーティング制御部２３ａとＷＡＮインターフェース部２４ａとアクセスサーバ３０とを介して管理サーバ１０に送信する。
【００５８】
交換元の第１ゲートウェイ２０ａは、装置交換処理が開始されたことを表示するため、ＬＥＤ２７ａを緑色で点滅させる（ステップＳ１０３）。
【００５９】
管理サーバ１０は、ＬＡＮインターフェース部１１を介して装置交換制御部１２で交換通知Ｎ１を含むパケットを受信した場合、アクセスサーバ３０に対してパケットの送信元の確認を行う（ステップＳ１０４）。
【００６０】
交換元の第１ゲートウェイ２０ａ（ゲートウェイ送信部２４１）は、ステップＳ１０４の前に、パケットの送信元である自ゲートウェイを識別するための第１識別情報Ｄ１を管理サーバ１０に送信する。第１識別情報Ｄ１は、アクセスサーバ３０を介して管理サーバ１０に送信される。第１識別情報Ｄ１は、例えばＭＡＣアドレス等の識別情報を含む。
【００６１】
管理サーバ１０（サーバ受信部１１２）は、アクセスサーバ３０を介してパケットの送信元である第１ゲートウェイ２０ａを識別するための第１識別情報Ｄ１を受信する（ステップＳ１０５）。
【００６２】
管理サーバ１０の装置交換制御部１２は、管理者によって装置設定管理部１３に予め保存されたＭＡＣアドレス（図４Ａに示す）を参照する。装置交換制御部１２は、アクセスサーバ３０から取得したパケットの送信元の第１ゲートウェイ２０ａのＭＡＣアドレスと一致するものが、参照したＭＡＣアドレスの中に有るか否かを検索する（ステップＳ１０６）。交換元のゲートウェイを交換元の装置と称し、交換先のゲートウェイを交換先の装置と称することもある。
【００６３】
すなわち、装置交換制御部１２は、予め保存された複数の識別情報Ｄの中に第１識別情報Ｄ１と一致するものが有るか否かを検索する。複数の識別情報Ｄは、ＭＡＣアドレスを含む識別情報である。第１識別情報Ｄ１は、ＭＡＣアドレスを含む識別情報である。
【００６４】
管理サーバ１０は、一致するものが有り、その交換状況が「交換元（未交換）」である場合（ステップＳ１０６：Ｙｅｓ）、交換開始通知を含むパケットを交換元の第１ゲートウェイ２０ａに送信する（ステップＳ１０７）。交換開始通知を含むパケットは、ＬＡＮインターフェース部１１とアクセスサーバ３０とを介して送信される。
【００６５】
すなわち、サーバ送信部１１１は、一致するものが有る場合、初期設定値Ｓ１と現在設定値Ｓ２の送信を要求する交換開始通知を第１ゲートウェイ２０ａに送信する。また、サーバ送信部１１１は、一致するものが有り、交換状況が交換通知Ｎを受信した後に交換が終了していない状態を示す未交換の場合にも、交換開始通知を送信する。装置交換制御部１２が、初期設定値Ｓ１と、現在設定値Ｓ２と、を第２ゲートウェイ２０ｂに送信するように、サーバ送信部１１１に指示してもよい。
【００６６】
一致するものが有る場合や交換状況が未交換の場合にゲートウェイ２０を交換するので、ゲートウェイ２０を誤って交換してしまうことを防止することができる。
【００６７】
交換元の第１ゲートウェイ２０ａは、交換開始通知を含むパケットをＷＡＮインターフェース部２４ａとルーティング制御部２３ａとを介して装置交換制御部２２ａが受信した場合、現在設定値保存部２５２ａから現在設定値Ｓ２ａを読み出す。そして、交換元の第１ゲートウェイ２０ａは、現在設定値Ｓ２ａを含むパケットを管理サーバ１０に送信する（ステップＳ１０８）。
【００６８】
管理サーバ１０は、一致するものが無い又はその交換状況が「交換元（未交換）」で無い場合（ステップＳ１０６：Ｎｏ）、非該当通知を含むパケットを第１ゲートウェイ２０ａに送信する（ステップＳ１１３）。非該当通知を含むパケットは、ＬＡＮインターフェース部１１とアクセスサーバ３０とを介して送信される。
【００６９】
交換元の第１ゲートウェイ２０ａは、ＷＡＮインターフェース部２４ａとルーティング制御部２３ａとを介して装置交換制御部２２ａで非該当通知を含むパケットを受信した場合、交換処理を終了する。また、管理サーバ１０も、交換処理を終了する（ステップＳ１１４）。
【００７０】
管理サーバ１０は、現在設定値Ｓ２ａを含むパケットを受信した場合、図４Ｂに示すように、装置設定管理部１３の該当する装置番号の現在設定値（ＳＳＩＤと暗号化キー）に、受信した現在設定値Ｓ２ａを保存する（ステップＳ１０９）。
【００７１】
実施の形態１の例では、交換元の第１ゲートウェイ２０ａの装置番号は０００１であるので、装置番号が０００１の現在設定値のＳＳＩＤを「ＨＷＧ１」とし、暗号化キーを「ＡＡＡＡＡＡＸ」としてこれらを保存する。
【００７２】
また、管理サーバ１０は、現在設定値Ｓ２ａを保存すると共に、交換元に該当する装置番号の交換状況を「交換元（交換中）」に更新する（ステップＳ１１０）。また、管理サーバ１０は、交換先に該当する装置番号の交換状況を「交換先（交換中）」に更新する（ステップＳ１１０）。
【００７３】
実施の形態１の例では、交換元の第１ゲートウェイ２０ａ装置番号は０００１であるので、装置番号が０００１の交換状況を「交換元（交換中）」に更新し保存する。交換先の第２ゲートウェイ２０ｂ装置番号は２００２であるので、装置番号が２００２の交換状況を「交換先（交換中）」に更新し保存する。
【００７４】
管理サーバ１０は、設定値保存完了通知を含むパケットを交換元の第１ゲートウェイ２０ａに送信する（ステップＳ１１１）。設定値保存完了通知は、交換元の第１ゲートウェイ２０ａの設定値Ｓ等の保存が完了した旨を示す。
【００７５】
交換元の第１ゲートウェイ２０ａは、設定値保存完了通知を含むパケットを受信した場合、設定値Ｓの保存が完了したことを表示するため、ＬＥＤ２７ａを緑色で点灯させ（ステップＳ１１２）、処理を終了する。
【００７６】
交換先の第２ゲートウェイ２０ｂが管理サーバ１０から設定値Ｓを取得し保存するまでの動作を説明する。
【００７７】
図６は、実施の形態１に係る動作を例示するシーケンス図である。
図７は、実施の形態１に係る装置設定管理部に保存された内容を例示する設定管理テーブルである。
図７は、装置交換後の設定管理テーブルを示す。
【００７８】
実施の形態１の例では、交換元の第１ゲートウェイ２０ａから交換先の第２ゲートウェイ２０ｂに対して、現在設定値Ｓ２のみを引継ぐのか、又は初期設定値Ｓ１も引継ぐのかをユーザのボタン操作で選択することとする。
【００７９】
図６に示すように、交換先の第２ゲートウェイ２０ｂの装置交換ボタン２８ｂが押下される（ステップＳ２０１）。
【００８０】
第２ゲートウェイ２０ｂの装置交換制御部２２ｂは、装置交換ボタン２８ｂが押下されたことを検出し、装置交換処理が開始されたことを表示するため、ＬＥＤ２７ｂを緑色で点滅させる（ステップＳ２０２）。
【００８１】
ステップＳ２０２の後、第２ゲートウェイ２０ｂは、所定時間Ｔ１の間、装置交換ボタン２８ｂの再押下を検出する待ち状態になる。
【００８２】
第２ゲートウェイ２０ｂは、所定時間Ｔ１の間に装置交換ボタン２８ｂが再度押下された場合（ステップＳ２０３：Ｙｅｓ）、現在設定値Ｓ２のみを引継ぐことを表示するため、ＬＥＤ２７ｂを橙色で点滅させる（ステップＳ２０４）。
【００８３】
第２ゲートウェイ２０ｂは、ＬＥＤ２７ｂを橙色で点滅させると共に、現在設定値Ｓ２のみを引継いで装置交換する旨を示す交換通知Ｎ２１を含むパケットをアクセスサーバ３０を介して管理サーバ１０に送信する（ステップＳ２０５）。具体的には、第２ゲートウェイ２０ｂは、交換通知Ｎ２１を含むパケットを、ルーティング制御部２３ｂとＷＡＮインターフェース部２４ｂとアクセスサーバ３０とを介して管理サーバ１０に送信する。
【００８４】
第２ゲートウェイ２０ｂは、所定時間Ｔ１内に装置交換ボタン２８ｂが再押下されなかった場合（ステップＳ２０３：Ｎｏ）、装置交換する旨を示す交換通知Ｎ２２を含むパケットを管理サーバ１０に送信する（ステップＳ２０６）。交換通知Ｎ２２を含むパケットは、現在設定値Ｓ２と初期設定値Ｓ１とを引継いで装置交換する旨を示すものである。交換通知Ｎ２１と交換通知Ｎ２２とを総称して交換通知Ｎ２と称する。
【００８５】
管理サーバ１０は、ＬＡＮインターフェース部１１を介して装置交換制御部１２で交換通知Ｎ２を含むパケットを受信した場合、アクセスサーバ３０に対してパケットの送信元の確認を行う（ステップＳ２０７）。
【００８６】
管理サーバ１０は、アクセスサーバ３０からパケットの送信元の情報、例えばＭＡＣアドレス等の情報を取得する（ステップＳ２０８）。
【００８７】
管理サーバ１０の装置交換制御部１２は、管理者によって装置設定管理部１３に予め保存されたＭＡＣアドレス（図４Ａに示す）を参照する。装置交換制御部１２は、アクセスサーバ３０から取得したパケットの送信元である第２ゲートウェイ２０ｂのＭＡＣアドレスと一致するものが、参照したＭＡＣアドレスの中に有るか否かを検索する（ステップＳ２０９）。
【００８８】
管理サーバ１０は、一致するものがあり、その交換状況が「交換先（交換中）」である場合（ステップＳ２０９：Ｙｅｓ）、交換元の第１ゲートウェイ２０ａの設定値Ｓの読み出しを行う（ステップＳ２１０）。
【００８９】
管理サーバ１０は、ステップＳ２１０において、現在設定値Ｓ２のみを引継いで装置交換する旨を示す交換通知Ｎ２１を含むパケットを受信していた場合、装置設定管理部１３から交換元の第１ゲートウェイ２０ａの現在設定値Ｓ２ａのみを読み出す。管理サーバ１０は、交換元の第１ゲートウェイ２０ａの現在設定値Ｓ２ａを含むパケットをＬＡＮインターフェース部１１とアクセスサーバ３０とを介して交換先の第２ゲートウェイ２０ｂに送信する（ステップＳ２１１）。
【００９０】
管理サーバ１０は、ステップＳ２１０において、現在設定値Ｓ２と初期設定値Ｓ１とを引継いで装置交換する旨を示す交換通知Ｎ２２を含むパケットを受信する場合がある。この場合、管理サーバ１０は、装置設定管理部１３から第１ゲートウェイ２０ａの現在設定値Ｓ２ａと初期設定値Ｓ１ａとを読み出す。管理サーバ１０は、交換元の第１ゲートウェイ２０ａの現在設定値Ｓ２ａと初期設定値Ｓ１ａとを含むパケットをＬＡＮインターフェース部１１とアクセスサーバ３０とを介して交換先の第２ゲートウェイ２０ｂに送信する（ステップＳ２１１）。
【００９１】
管理サーバ１０は、一致するものが無い、又はその交換状況が「交換先（交換中）」で無い場合（ステップＳ２０９：Ｎｏ）、非該当通知を含むパケットを第２ゲートウェイ２０ｂに送信する（ステップＳ２１６）。非該当通知を含むパケットは、ＬＡＮインターフェース部１１とアクセスサーバ３０とを介して送信される。
【００９２】
交換先の第２ゲートウェイ２０ｂは、ＷＡＮインターフェース部２４ｂとルーティング制御部２３ｂとを介して装置交換制御部２２ｂで非該当通知を含むパケットを受信した場合、交換処理を終了する。また、管理サーバ１０も、交換処理を終了する（ステップＳ２１７）。
【００９３】
交換先の第２ゲートウェイ２０ｂは、交換元の第１ゲートウェイ２０ａの設定値Ｓを含むパケットを装置交換制御部２２ｂで受信した場合、設定値Ｓを設定値保存部２５に保存する（ステップＳ２１２）。設定値Ｓを含むパケットは、ＷＡＮインターフェース部２４ｂとルーティング制御部２３ｂとを介して受信される。
【００９４】
交換先の第２ゲートウェイ２０ｂにおいて、設定値Ｓの初期設定値Ｓ１は、初期設定値保存部２５１ｂに保存され、設定値Ｓの現在設定値Ｓ２は、現在設定値保存部２５２ｂに保存される。
【００９５】
交換先の第２ゲートウェイ２０ｂは、設定値保存完了通知を含むパケットを管理サーバ１０に送信する（ステップＳ２１３）。設定値保存完了通知は、交換先の第２ゲートウェイ２０ｂにおいて、交換元の第１ゲートウェイ２０ａの設定値Ｓ等の保存が完了した旨を示す。
【００９６】
また、交換先の第２ゲートウェイ２０ｂは、交換元の第１ゲートウェイ２０ａの設定値Ｓ等の保存が完了したことを表示するため、ＬＥＤ２７ｂを緑色で点灯させ（ステップＳ２１４）、処理を終了する。
【００９７】
管理サーバ１０は、設定値保存完了通知を含むパケットを受信した場合、図７に示すように、装置設定管理部１３の該当する装置番号の交換状況を「交換元（交換済）」や「交換先（交換済）」に更新する（ステップＳ２１５）。
【００９８】
実施の形態１の例では、交換元の第１ゲートウェイ２０ａの装置番号は０００１であるので、装置番号が０００１の交換状況を「交換元（交換済）」に更新する。また、交換先の第２ゲートウェイ２０ｂの装置番号は２００２であるので、装置番号が２００２の交換状況を「交換先（交換済）」に更新する。
【００９９】
管理サーバ１０は、交換状況を更新すると共に、交換元の第１ゲートウェイ２０ａの現在設定値を交換先の第２ゲートウェイ２０ｂの現在設定値に変更（コピー）する。交換先の第２ゲートウェイ２０ｂの装置番号は２００２であり、交換元の第１ゲートウェイ２０ａの装置番号は０００１であるので、装置番号が２００２の現在設定値のＳＳＩＤを、装置番号が０００１のＳＳＩＤと同じ「ＨＷＧ１」とする。また、装置番号が２００２の暗号化キーを、装置番号が０００１の暗号化キーと同じ「ＡＡＡＡＡＡＸ」に更新する。
【０１００】
管理サーバ１０は、交換通知Ｎ２２を含むパケットを受信した場合、交換元である第１ゲートウェイ２０ａの初期設定値を交換先である第２ゲートウェイ２０ｂの初期設定値にコピーする（ステップＳ２１５）。交換通知Ｎ２２を含むパケットは、現在設定値Ｓ２と初期設定値Ｓ１とを引継いで装置交換する旨を示すパケットである。
【０１０１】
ゲートウェイ２０の設定値Ｓを初期化する手順を説明する。
図８は、実施の形態１に係る動作を例示するフローチャートである。
【０１０２】
図８に示すように、ゲートウェイ２０の設定初期化ボタン２９を押下する（ステップＳ３０１）。ゲートウェイ２０は、初期設定値保存部２５１から初期設定値Ｓ１を読み出し、現在設定値保存部２５２に保存する（ステップＳ３０２）。
【０１０３】
ゲートウェイ２０は、現在設定値保存部２５２に保存された設定値Ｓを使用して無線端末４０と無線通信を行う。
【０１０４】
尚、実施の形態１では、ゲートウェイ２０の設定値ＳとしてＳＳＩＤと暗号化キーの１組を例に挙げたが、これには限定されない。ゲートウェイ２０の設定値Ｓとして複数の組があってもよい。
【０１０５】
また、設定値Ｓに、例えば、ＩＥＥＥ８０２．１１ａｃやＩＥＥＥ８０２．１１ｎ等の無線プロトコル種別、５ＧＨｚ帯や２．４ＧＨｚ帯等の無線周波数を含めてもよい。また、設定値Ｓに、例えば、無線チャネルの自動設定又は固定設定の設定種別、ＭＡＣアドレスフォルタリング設定、無線以外のルータ機能に関する設定を含めてもよい。
【０１０６】
実施の形態１においては、ゲートウェイ２０を交換する際、管理サーバ１０を使用して交換元の第１ゲートウェイ２０ａの認証情報の現在設定値Ｓ２と初期設定値Ｓ１とを、交換先の第２ゲートウェイ２０ｂに引継ぐことができる。すなわち、実施の形態１によれば、無線通信を行う際に使用する認証情報を容易に引継ぐことが可能な管理サーバ、ゲートウェイ、システム、方法及びプログラムを提供することができる。
【０１０７】
このため、交換先の第２ゲートウェイ２０ｂの認証情報の設定を初期化した場合でも、初期設定値Ｓ１を使用して無線通信を行う無線端末４０が自端末の認証情報を再設定することなく無線通信を継続することができる。認証情報が初期設定値Ｓ１のままの無線端末４０を使用しているユーザは、無線端末４０の認証情報をわざわざ再設定する必要が無い。
【０１０８】
特に、認証情報を初期設定値Ｓ１のままで使用するユーザは、操作方法が分からない等の理由により無線端末４０の認証情報の再設定の操作を行うことが難しい傾向があった。実施の形態１によって、中継装置の販売事業者等が無線端末４０の認証情報の再設定のサポートをする必要が少なくなる。
【０１０９】
また、実施の形態１においては、ゲートウェイ２０を交換する際、ゲートウェイ２０毎に固有の値を含む初期設定値Ｓ１を交換先の第２ゲートウェイ２０ｂに引継ぎ、交換元の第１ゲートウェイ２０ａと交換先の第２ゲートウェイ２０ｂとを管理する。このため、同一の初期設定値Ｓ１を保持する複数のゲートウェイ２０を、同時に運用することを防止することができる。
【０１１０】
また、実施の形態１においては、ゲートウェイ２０を交換する際、装置交換ボタン２８を押下するという簡単な操作により、認証情報の現在設定値Ｓ２と初期設定値Ｓ１とを交換先のゲートウェイ２０に引継ぐことができる。このため、ユーザ自身でゲートウェイ２０を交換することが可能となり、カスタマーサポート人員をユーザ宅に派遣する必要が無い。
【０１１１】
ここで、本開示の特徴を記載する。
実施の形態１に係るゲートウェイは、無線アクセスポイントとしての機能を有し、認証情報（初期設定値と現在設定値）を引継ぐ機能（手段）を備える。
ゲートウェイは、無線端末やアクセスサーバや管理サーバと連携することにより、ゲートウェイの交換に際して、初期設定値と現在設定値の引継ぎを行う。
【０１１２】
［実施の形態２］
実施の形態１は、ゲートウェイ２０の無線通信機能が故障した場合、ＷＡＮインターフェース部２４を介したインターネット通信を使用してゲートウェイを交換する例であった。
【０１１３】
実施の形態２は、実施の形態１と比べて、ＷＡＮインターフェース部２４を介したインターネット通信の代わりに、ＬＡＮ(Local Area Network)通信を使用してゲートウェイ２０の設定値Ｓを引継ぐ点が異なる。
【０１１４】
図９は、実施の形態２に係るゲートウェイを例示するブロック図である。
【０１１５】
図９に示すように、実施の形態２に係るゲートウェイ６０は、実施の形態１に係るゲートウェイ２０と比べて、交換設定値保存部６５３とＬＡＮインターフェース部６１０とをさらに備える。
【０１１６】
ＬＡＮインターフェース部６１０は、ＬＡＮインターフェースを使用して通信を行う。ＷＡＮインターフェース部２４の代わりにＬＡＮインターフェース部６１０を使用してゲートウェイ６０をパソコンやゲートウェイ等のネットワーク通信機器に接続する。
【０１１７】
交換設定値保存部６５３は、ＬＡＮ通信を使用して交換元の第１ゲートウェイ６０ａから設定値Ｓを含むパケットを受信した際、設定値Ｓを一時的に保存する。また、交換設定値保存部６５３は、交換先の第２ゲートウェイ６０ｂであることを示す情報を保存する。
【０１１８】
装置交換制御部２２は、装置交換ボタン２８が押下されたことを検出した場合、交換設定値保存部６５３を参照し、交換先の第２ゲートウェイ６０ｂであることを示す情報の有無を確認する。
【０１１９】
ゲートウェイ６０は、交換設定値保存部６５３に交換先の第２ゲートウェイ６０ｂであることを示す情報が存在した場合、交換先の第２ゲートウェイ６０ｂとして動作する。ゲートウェイ６０の装置交換制御部２２は、交換先の第２ゲートウェイ６０ｂとして動作するため、ルーティング制御部２３とＬＡＮインターフェース部６１０とを介して交換元の第１ゲートウェイ６０ａとの間で設定値Ｓに関する通信を行う。
【０１２０】
ゲートウェイ６０の装置交換制御部２２は、交換設定値保存部６５３に交換先の第２ゲートウェイ６０ｂであることを示す情報が存在しなかった場合、ルーティング制御部２３とＷＡＮインターフェース部２４とを介して管理サーバ１０との間で通信を試みる。
【０１２１】
装置交換制御部２２は、管理サーバ１０との間で通信ができなかった場合、ルーティング制御部２３とＬＡＮインターフェース部６１０とを介して交換先の第２ゲートウェイ６０ｂとの間で設定値Ｓに関する通信を行う。
【０１２２】
実施の形態２の動作を説明する。
図１０Ａは、実施の形態２に係る装置設定管理部に保存された内容を例示する設定管理テーブルである。
図１０Ａは、装置交換前の設定管理テーブルを示す。
図１０Ｂは、実施の形態２に係る装置設定管理部に保存された内容を例示する設定管理テーブルである。
図１０Ｂは、装置交換後の設定管理テーブルを示す。
【０１２３】
管理サーバ１０の管理者は、図１０Ａに示すように、交換対象のゲートウェイ６０の交換状況を装置設定管理部１３に保存する。すなわち、交換元である第１ゲートウェイ６０ａ（装置番号が０００１）の交換状況を、「交換元（未登録）」として保存する。また、交換先である第２ゲートウェイ６０ｂ（装置番号が２００２）の交換状況を、「交換先（未登録）」として保存する。
【０１２４】
また、ユーザに対して交換用の第２ゲートウェイ６０ｂが送付されるが、この第２ゲートウェイ６０ｂの交換設定値保存部６５３には、交換先のゲートウェイであることを示す情報を予め保存しておく。
【０１２５】
そして、ユーザがゲートウェイ６０を交換をする際、交換元の第１ゲートウェイ６０ａのＬＡＮインターフェース部６１０ａと交換先の第２ゲートウェイ６０ｂのＬＡＮインターフェース部６１０ｂとをイーサネット（登録商標）ケーブルで接続する。その後、ユーザが第１ゲートウェイ６０ａの装置交換ボタン２８ａと第２ゲートウェイ６０ｂの装置交換ボタン２８ｂを押下する。
【０１２６】
ゲートウェイ６０の交換手順を説明する。
図１１は、実施の形態２に係る動作を例示するシーケンス図である。
【０１２７】
図１１に示すように、交換元の第１ゲートウェイ６０ａの装置交換ボタン２８ａが押下される（ステップＳ３０１）。
【０１２８】
交換元の第１ゲートウェイ６０ａの装置交換制御部２２ａは、交換設定値保存部６５３ａを参照し、交換先の第２ゲートウェイ６０ｂであることを示す情報の有無を確認する（ステップＳ３０２）。
【０１２９】
交換元の第１ゲートウェイ６０ａの交換設定値保存部６５３ａには、交換先の第２ゲートウェイ６０ｂであることを示す情報は保存されていない（ステップＳ３０２：Ｎｏ）。よって、第１ゲートウェイ６０ａは、交換通知Ｎ１を含むパケットを管理サーバ１０に送信しようと試みる（ステップＳ３０３）。
【０１３０】
ここで、交換元の第１ゲートウェイ６０ａのＷＡＮインターフェース部２４ａは故障しており、管理サーバ１０との間で通信が不可能な状態である。
【０１３１】
交換元の第１ゲートウェイ６０ａの装置交換制御部２２ａは、管理サーバ１０からの応答パケットを所定時間Ｔ２内に受信することができない（ステップＳ３０４）。装置交換制御部２２ａは、応答パケットを受信することができない場合、ルーティング制御部２３ａとＬＡＮインターフェース部６１０ａを介して交換先の第２ゲートウェイ６０ｂに対して交換通知Ｎ３を含むパケットを送信する（ステップＳ３０５）。応答パケットは、交換通知Ｎ１に対する応答通知を含む。
【０１３２】
また、第１ゲートウェイ６０ａは、ＬＥＤ２７ａを緑色で点滅させる（ステップＳ３０６）。
【０１３３】
一方で、交換先の第２ゲートウェイ６０ｂの装置交換ボタン２８ｂが押下される（ステップＳ３０７）。
【０１３４】
交換先の第２ゲートウェイ６０ｂの装置交換制御部２２ｂは、交換設定値保存部６５３ｂを参照し、交換先の第２ゲートウェイ６０ｂであることを示す情報の有無を確認する（ステップＳ３０８）。
【０１３５】
交換先の第２ゲートウェイ６０ｂの交換設定値保存部６５３ｂには、交換先の第２ゲートウェイ６０ｂであることを示す情報が保存されている（ステップＳ３０８：Ｙｅｓ）。よって、第２ゲートウェイ６０ｂは、交換元の第１ゲートウェイ６０ａからの交換通知Ｎ３を含むパケットを受信するまで待つ（ステップＳ３０９）。
【０１３６】
交換先の第２ゲートウェイ６０ｂは、装置交換制御部２２ｂが交換通知Ｎ３を含むパケットを受信した場合（ステップＳ３０５）、交換開始通知を含むパケットを交換元の第１ゲートウェイ６０ａに送信する（ステップＳ３１０）。また、交換先の第２ゲートウェイ６０ｂは、ＬＥＤ２７ｂを緑色で点滅させる（ステップＳ３１１）。
【０１３７】
交換元の第１ゲートウェイ６０ａは、装置交換制御部２２ａが交換開始通知を含むパケットを受信した場合、初期設定値保存部２５１ａから初期設定値Ｓ１を読み出し、現在設定値保存部２５２ａから現在設定値Ｓ２を読み出す。そして、交換元の第１ゲートウェイ６０ａは、初期設定値Ｓ１と現在設定値Ｓ２とを含むパケットを交換先の第２ゲートウェイ６０ｂに送信する（ステップＳ３１２）。
【０１３８】
尚、ステップＳ３０４とステップＳ３０５の動作は以下のようにしてもよい。すなわち、交換元の第１ゲートウェイ６０ａは、交換通知Ｎ１に対する応答通知を所定時間Ｔ２内に管理サーバ１０から受信しない。そしてこの場合、ＬＡＮインターフェース部６１０ａは、初期設定値Ｓ１と現在設定値Ｓ２とを交換先の第２ゲートウェイ６０ｂに送信する。
【０１３９】
ステップＳ３１２の後、交換先の第２ゲートウェイ６０ｂは、装置交換制御部２２ｂが交換元の第１ゲートウェイ６０ａから設定値Ｓを含むパケットを受信した場合、設定値Ｓを交換設定値保存部６５３ｂに保存する（ステップＳ３１３）。また、交換先の第２ゲートウェイ６０ｂは、交換登録待モードに移行する（ステップＳ３１４）。
【０１４０】
その後、交換先の第２ゲートウェイ６０ｂは、設定値保存完了通知を含むパケットを交換元の第１ゲートウェイ６０ａに送信する（ステップＳ３１５）。また、交換先の第２ゲートウェイ６０ｂは、ＬＥＤ２７ｂを橙色で点滅させる（ステップＳ３１６）。
【０１４１】
交換元の第１ゲートウェイ６０ａは、装置交換制御部２２ａが交換先の第２ゲートウェイ６０ｂから設定値保存完了通知を含むパケットを受信した場合、ＬＥＤ２７ａを緑色で点灯させて処理を終了する（ステップＳ３１７）。
【０１４２】
交換先の第２ゲートウェイ６０ｂを管理サーバ１０に登録する手順を説明する。
図１２は、実施の形態２に係る動作を例示するシーケンス図である。
【０１４３】
図１２に示すように、交換登録待モードに移行した交換先の第２ゲートウェイ６０ｂの装置交換ボタン２８ｂが押下される（ステップＳ４０１）。第２ゲートウェイ６０ｂの装置交換制御部２２ｂは、装置登録要求を含むパケットを管理サーバ１０に送信する（ステップＳ４０２）。
【０１４４】
管理サーバ１０は、交換先の第２ゲートウェイ６０ｂから装置登録要求を含むパケットを受信した場合、アクセスサーバ３０に対してパケットの送信元の確認を行う（ステップＳ４０３）。そして、管理サーバ１０は、アクセスサーバ３０からパケットの送信元の情報、例えばＭＡＣアドレス等の情報を取得する（ステップＳ４０４）。
【０１４５】
管理サーバ１０は、管理者によって装置設定管理部１３に予め保存されたＭＡＣアドレス（図１０Ａに示す）を参照する。管理サーバ１０は、アクセスサーバ３０から取得した送信元のＭＡＣアドレスと一致するものが、参照したＭＡＣアドレスの中に有るか否かを検索する（ステップＳ４０５）。
【０１４６】
管理サーバ１０は、一致するものがあり、その交換状況が「交換先（未登録）」である場合（ステップＳ４０５：Ｙｅｓ）、装置引継ぎ許可通知を含むパケットを交換先の第２ゲートウェイ６０ｂに送信する（ステップＳ４０６）。装置引継ぎ許可通知を含むパケットは、ＬＡＮインターフェース部１１とアクセスサーバ３０とを介して送信される。
【０１４７】
管理サーバ１０は、一致するものが無い、又は一致したゲートウェイの交換状況が「交換先（未登録）」では無い場合（ステップＳ４０５：Ｎｏ）、非該当通知を含むパケットを交換先の第２ゲートウェイ６０ｂに送信する（ステップＳ４０７）。非該当通知を含むパケットは、ＬＡＮインターフェース部１１とアクセスサーバ３０とを介して送信される。
【０１４８】
交換先の第２ゲートウェイ６０ｂは、非該当通知を含むパケットをＷＡＮインターフェース部２４ｂとルーティング制御部２３ｂとを介して装置交換制御部２２ｂで受信した場合、交換処理を終了する。また、管理サーバ１０も、交換処理を終了する（ステップＳ４０８）。
【０１４９】
交換先の第２ゲートウェイ６０ｂは、設定引継ぎ許可通知を含むパケットを装置交換制御部２２ｂで受信した場合、交換設定値保存部６５３ｂから初期設定値Ｓ１と現在設定値Ｓ２とを読み出す。設定引継ぎ許可通知を含むパケットは、ＷＡＮインターフェース部２４ｂとルーティング制御部２３ｂとを介して装置交換制御部２２ｂで受信される。初期設定値Ｓ１と現在設定値Ｓ２とは、前述のステップＳ３１２において予め保存しておいたものである。交換先の第２ゲートウェイ６０ｂは、初期設定値Ｓ１を初期設定値保存部２５１ｂに保存し、現在設定値Ｓ２を現在設定値保存部２５２ｂにそれぞれ保存し、設定値Ｓを引継ぐ（ステップＳ４０９）。
【０１５０】
交換先の第２ゲートウェイ６０ｂは、初期設定値Ｓ１と現在設定値Ｓ２と設定値引継ぎ完了通知とを含むパケットを管理サーバ１０に送信する（ステップＳ４１０）。
【０１５１】
管理サーバ１０は、設定値Ｓと設定値引継ぎ完了通知とを含むパケットを受信した場合、図１０Ｂに示すように、装置設定管理部１３の該当する装置番号の現在設定値と初期設定値に、受信した現在設定値Ｓ２と初期設定値Ｓ１とをそれぞれ保存する。
【０１５２】
実施の形態２の例では、交換先の第２ゲートウェイ６０ｂの装置番号は２００２であるので、装置番号が２００２の現在設定値のＳＳＩＤを「ＨＷＧ１」とし、暗号化キーを「ＡＡＡＡＡＡＸ」としてこれらを保存する。
【０１５３】
また、管理サーバ１０は、設定値Ｓを保存すると共に、交換元に該当する装置番号の交換状況を「交換元（登録済）」に更新する（ステップＳ４１１）。また、管理サーバ１０は、交換先に該当する装置番号の交換状況を「交換先（登録済）」に更新する（ステップＳ４１１）。
【０１５４】
実施の形態２の例では、交換元の第１ゲートウェイ６０ａ装置番号は０００１であるので、装置番号が０００１の交換状況を「交換元（登録済）」に更新し保存する。交換先の第２ゲートウェイ６０ｂ装置番号は２００２であるので、装置番号が２００２の交換状況を「交換先（登録済）」に更新し保存する。
【０１５５】
また、管理サーバ１０は、装置登録完了通知を含むパケットを交換先の第２ゲートウェイ６０ｂに送信する（ステップＳ４１２）。
【０１５６】
交換先の第２ゲートウェイ６０ｂは、装置登録完了通知を含むパケットを受信した場合、交換登録待モードを解除し（ステップＳ４１３）、ＬＥＤ２７ｂを緑色で点灯させる（ステップＳ４１４）。
【０１５７】
実施の形態２においては、ゲートウェイ６０のＷＡＮインターフェース部２４に不具合が発生し、インターネット通信機能が動作しない場合でも、ＬＡＮインターフェース部６１０を使用して設定値Ｓを引継ぐことができる。すなわち、交換元である第１ゲートウェイ６０ａは、ＷＡＮインターフェース部２４ａに不具合が発生した場合、ＬＡＮインターフェース部６１０ａを使用して設定値Ｓを交換先の第２ゲートウェイ６０ｂに送信し、第２ゲートウェイ６０ｂが設定値Ｓを保存する。
【０１５８】
その結果、ゲートウェイのインターネット通信機能に不具合が発生した場合でも、無線通信を行う際に使用する認証情報を容易に引継ぐことが可能な管理サーバ、ゲートウェイ、システム、方法及びプログラムを提供することができる。
【０１５９】
尚、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【０１６０】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１６１】
また、上記の実施形態の一部又は全部は、以下の付記のようにも記載されうるが、以下には限られない。
【０１６２】
（付記１）
第１ゲートウェイから第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するサーバ受信部と、
前記交換通知を前記第２ゲートウェイから受信した場合、前記初期設定値と前記現在設定値とを前記第２ゲートウェイに送信するサーバ送信部と、
を備える管理サーバ。
【０１６３】
（付記２）
前記サーバ受信部は、前記第１ゲートウェイを識別するための第１識別情報を受信し、
前記サーバ送信部は、予め保存された複数の識別情報の中に前記第１識別情報と一致するものが有る場合、前記初期設定値と前記現在設定値の送信を要求する交換開始通知を前記第１ゲートウェイに送信する、
付記１に記載の管理サーバ。
【０１６４】
（付記３）
前記識別情報は、ＭＡＣアドレスを含む、
付記２に記載の管理サーバ。
【０１６５】
（付記４）
前記第１ゲートウェイの交換状況を保存する装置設定管理部をさらに備え、
前記サーバ送信部は、前記交換状況が前記交換通知を受信した後に交換が終了していない状態を示す未交換の場合、前記交換開始通知を送信する、
付記２又は３に記載の管理サーバ。
【０１６６】
（付記５）
前記初期設定値と前記現在設定値とのそれぞれは、ＳＳＩＤと暗号化キーとのうち少なくともいずれかを含む、
付記１乃至４のいずれか１つに記載の管理サーバ。
【０１６７】
（付記６）
第１ゲートウェイから第２ゲートウェイに交換する際に自ゲートウェイが前記第１ゲートウェイである場合、前記交換する旨を示す交換通知と、前記第１ゲートウェイが無線通信を行う際に使用する初期設定値と、前記初期設定値が変更された場合には現在使用されている現在設定値と、を管理サーバに送信し、自ゲートウェイが前記第２ゲートウェイである場合、前記交換する旨を示す交換通知を前記管理サーバに送信するゲートウェイ送信部と、
前記交換する際に自ゲートウェイが前記第２ゲートウェイである場合、前記初期設定値と、前記現在設定値と、を前記管理サーバから受信するゲートウェイ受信部と、
を備えるゲートウェイ。
【０１６８】
（付記７）
装置交換ボタンをさらに備え、
前記装置交換ボタンが操作された押下された場合、前記交換通知が前記管理サーバに通知される、
請求項６に記載のゲートウェイ。
【０１６９】
（付記８）
前記ゲートウェイ送信部は、自ゲートウェイを識別するための第１識別情報を前記管理サーバに送信する、
付記６又は７に記載のゲートウェイ。
【０１７０】
（付記９）
前記第１識別情報は、ＭＡＣアドレスを含む、
付記８に記載のゲートウェイ。
【０１７１】
（付記１０）
ＬＡＮインターフェースを使用して通信を行うＬＡＮインターフェース部をさらに備え、
前記第１ゲートウェイの前記ＬＡＮインターフェース部は、前記交換通知に対する応答通知を所定時間内に前記管理サーバから受信しない場合、前記初期設定値と前記現在設定値とを前記第２ゲートウェイに送信する、
付記６乃至９のいずれか１つに記載のゲートウェイ。
【０１７２】
（付記１１）
前記初期設定値と前記現在設定値とのそれぞれは、ＳＳＩＤと暗号化キーとのうち少なくともいずれかを含む、
付記６乃至１０のいずれか１つに記載のゲートウェイ。
【０１７３】
（付記１２）
交換元である第１ゲートウェイと交換先である第２ゲートウェイとを有するゲートウェイと、前記第１ゲートウェイと前記第２ゲートウェイとを管理する管理サーバと、を備え、
前記管理サーバは、
前記第１ゲートウェイから前記第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するサーバ受信部と、
前記交換通知を前記第２ゲートウェイから受信した場合、前記初期設定値と前記現在設定値とを前記第２ゲートウェイに送信するサーバ送信部と、を有し、
前記ゲートウェイは、
前記交換する際に自ゲートウェイが前記第１ゲートウェイである場合、前記交換する旨を示す交換通知と、前記第１ゲートウェイが無線通信を行う際に使用する初期設定値と、前記初期設定値が変更された場合には現在使用されている現在設定値と、を前記管理サーバに送信し、前記交換する際に自ゲートウェイが前記第２ゲートウェイである場合、前記交換する旨を示す交換通知を前記管理サーバに送信するゲートウェイ送信部と、
前記交換する際に自ゲートウェイが前記第２ゲートウェイである場合、前記初期設定値と、前記現在設定値と、を前記管理サーバから受信するゲートウェイ受信部と、を有する、
システム。
【０１７４】
（付記１３）
前記サーバ受信部は、前記第１ゲートウェイを識別するための第１識別情報を受信し、
前記サーバ送信部は、予め保存された複数の識別情報の中に前記第１識別情報と一致するものが有る場合、前記初期設定値と前記現在設定値の送信を要求する交換開始通知を前記第１ゲートウェイに送信する、
付記１２に記載のシステム。
【０１７５】
（付記１４）
前記識別情報は、ＭＡＣアドレスを含む、
付記１３に記載のシステム。
【０１７６】
（付記１５）
前記第１ゲートウェイの交換状況を保存する装置設定管理部をさらに備え、
前記サーバ送信部は、前記交換状況が前記交換通知を受信した後に交換が終了していない状態を示す未交換の場合、前記交換開始通知を送信する、
付記１３又は１４に記載のシステム。
【０１７７】
（付記１６）
前記初期設定値と前記現在設定値とのそれぞれは、ＳＳＩＤと暗号化キーとのうち少なくともいずれかを含む、
付記１２乃至１５のいずれか１つに記載のシステム。
【０１７８】
（付記１７）
第１ゲートウェイから第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するステップと、
前記交換通知を前記第２ゲートウェイから受信した場合、前記初期設定値と前記現在設定値とを前記第２ゲートウェイに送信するステップと、
を備える方法。
【０１７９】
（付記１８）
第１ゲートウェイから第２ゲートウェイに交換する旨を示す交換通知を前記第１ゲートウェイと前記第２ゲートウェイとから受信し、前記第１ゲートウェイが無線通信を行う際に使用する初期設定値と、前記初期設定値が変更された場合には現在使用されている現在設定値と、を前記第１ゲートウェイから受信するステップと、
前記交換通知を前記第２ゲートウェイから受信した場合、前記初期設定値と前記現在設定値とを前記第２ゲートウェイに送信するステップと、
をコンピュータに実行させるプログラム。
【０１８０】
なお、本発明は上記実施の形態に限られたものではなく、趣旨を逸脱しない範囲で適宜変更することが可能である。
【符号の説明】
【０１８１】
１０…管理サーバ
１０ｓ…システム
１１…ＬＡＮインターフェース部
１１１…サーバ送信部
１１２…サーバ受信部
１２…装置交換制御部
１３…装置設定管理部
２０…ゲートウェイ
２０ａ…第１ゲートウェイ
２０ｂ…第２ゲートウェイ
２１…ＷＬＡＮインターフェース部
２２、２２ａ、２２ｂ…装置交換制御部
２３、２３ａ、２３ｂ…ルーティング制御部
２４、２４ａ、２４ｂ…ＷＡＮインターフェース部
２４１…ゲートウェイ送信部
２４２…ゲートウェイ受信部
２５…設定値保存部
２５１、２５１ａ、２５１ｂ…初期設定値保存部
２５２、２５２ａ、２５２ｂ…現在設定値保存部
２６…アンテナ
２７、２７ａ…ＬＥＤ
２８、２８ａ、２８ｂ…装置交換ボタン
２９…設定初期化ボタン
６０…ゲートウェイ
６０ａ…第１ゲートウェイ
６０ｂ…第２ゲートウェイ
６１０、６１０ａ、６１０ｂ…ＬＡＮインターフェース部
６５３、６５３ａ、６５３ｂ…交換設定値保存部
３０…アクセスサーバ
４０…無線端末
７０…回線事業者網
８０…インターネット
Ｎ、Ｎ１、Ｎ２、Ｎ２１、Ｎ２２、Ｎ３…交換通知
Ｓ…設定値
Ｓ１…初期設定値
Ｓ２、Ｓ２ａ、Ｓ２ｂ…現在設定値
Ｔ１、Ｔ２…所定時間
【図１】
2019115020.tif 000003
【図２】
2019115020.tif 000004
【図３】
2019115020.tif 000005
【図４Ａ】
2019115020.tif 000006
【図４Ｂ】
2019115020.tif 000007
【図５】
2019115020.tif 000008
【図６】
2019115020.tif 000009
【図７】
2019115020.tif 000010
【図８】
2019115020.tif 000011
【図９】
2019115020.tif 000012
【図１０Ａ】
2019115020.tif 000013
【図１０Ｂ】
2019115020.tif 000014
【図１１】
2019115020.tif 000015
【図１２】
2019115020.tif 000016